(57)【要約】【課題】  患者を撮影した画像に、確実かつ簡便な方法で患者情報を対応づける。【解決手段】  患者を撮影する撮像装置であって、撮影手段と、位置情報取得手段と、送信手段と、受信手段と、画像記録手段とを備える。撮影手段は、前記患者を撮影する。位置情報取得手段は、前記撮像装置の位置情報を取得する。送信手段は、前記取得した位置情報をサーバに送信する。受信手段は、前記位置情報から特定された前記患者の情報を、前記サーバから受信する。画像記録手段は、前記患者の情報と前記撮影された撮影画像とを対応づけて記録する。【選択図】  図１
2015133046.tif 000002
【特許請求の範囲】
【請求項１】
患者を撮影する撮像装置であって、
前記患者を撮影する撮影手段と、
前記撮像装置の位置情報を取得する位置情報取得手段と、
前記取得した位置情報をサーバに送信する送信手段と、
前記サーバから、前記位置情報から特定された前記患者の情報を受信する受信手段と、
前記患者の情報と前記撮影された撮影画像とを対応づけて記録する画像記録手段と、を備えることを特徴とする撮像装置。
【請求項２】
前記画像記録手段に記録されている過去に撮影された画像の中から前記撮影画像に類似する画像を検索する検索手段と、
前記検索手段により検索しても、前記撮影画像に類似する画像が見つからないときに、撮影者に警告を通知する通知手段と、をさらに備えることを特徴とする請求項１に記載の撮像装置。
【請求項３】
患者を撮影した位置を表す位置情報を受信する受信手段と、
位置範囲と患者の情報とを対応づけてあらかじめ記憶する記憶手段と、
前記受信した位置情報に応じて前記記憶手段を検索して、１つの患者の情報を特定する特定手段と、
前記特定された患者の情報を、前記位置情報の送信元に送信する送信手段と、を備えることを特徴とする画像管理装置。
【請求項４】
患者を撮影した撮影画像、及び前記患者を撮影した位置を表す位置情報を受信する受信手段と、
位置範囲と患者の情報とを対応づけてあらかじめ記憶する記憶手段と、
受信した前記位置情報に応じて前記記憶手段を検索して、１つの患者の情報を特定する特定手段と、
特定した前記患者の情報と受信した前記撮影画像とを対応づける対応づけ手段と
を備えることを特徴とする画像管理装置。
【請求項５】
前記受信手段が、前記撮影画像を撮影した時刻を表す撮影時刻をさらに受信し、
前記記憶手段が、前記位置範囲と前記患者の情報とにさらに撮影時刻範囲を対応づけてあらかじめ記憶し、
前記特定手段が、受信した前記位置情報と受信した前記撮影時刻とに応じて前記記憶手段を検索して、１つの患者の情報を特定する、ことを特徴とする請求項４に記載の画像管理装置。
【請求項６】
前記受信手段が、前記撮影画像を撮影した撮影者の情報をさらに受信し、
前記記憶手段が、前記位置範囲と前記患者の情報とにさらに撮影予定者の情報を対応づけてあらかじめ記憶し、
前記特定手段が、受信した前記位置情報と受信した前記撮影者の情報とに応じて前記記憶手段を検索して、１つの患者の情報を特定する、ことを特徴とする請求項４に記載の画像管理装置。
【請求項７】
患者を撮影する撮像装置であって、
前記患者を撮影する撮影手段と、
前記撮像装置の位置情報を取得する位置情報取得手段と、
前記撮影した撮影画像と位置情報とを画像管理装置に送信する送信手段と
を備える撮像装置と、
前記撮像装置から前記撮影画像と前記位置情報とを受信する受信手段と、
位置範囲と患者の情報とを対応づけてあらかじめ記憶する記憶手段と、
受信した前記位置情報に応じて前記記憶手段を検索して、１つの患者の情報を特定する特定手段と、
特定した前記患者の情報と受信した前記撮影画像とを対応づける対応づけ手段と
を備える画像管理装置と、
を有することを特徴とする画像管理システム。
【請求項８】
コンピュータを、請求項４乃至６のいずれか１項に記載の画像管理装置の各手段として機能させるためのプログラム。
【発明の詳細な説明】
【技術分野】
【０００１】
本発明は、撮影画像に被写体の識別情報を対応づける撮像装置、画像管理装置、画像管理システム及び画像管理プログラムに関する。
【背景技術】
【０００２】
近年、病院において、患者の創傷などの状態の管理のためにデジタルカメラが使用されている。個々の患者の状態を管理するためには、デジタルカメラで撮影した画像に患者氏名や患者ＩＤのような患者を識別する患者情報を確実かつ簡便な方法で対応づけられることが重要である。
撮影画像に患者情報を対応づける方法として、患者ＩＤをキーボードやタッチパネルなどの入力装置によって入力して対応づける方法がある。そのほかの従来の技術として、次に挙げる技術が存在している。
【０００３】
特許文献１は、患者ＩＤの入力を簡略化するため、コンピュータに患者ＩＤの入力装置を備え、ＩＤカードからバーコードリーダなどの入力装置によって患者ＩＤの入力を行う技術を開示する。コンピュータは患者ＩＤをもとに医療データベースから患者情報を取得し、デジタルカメラに送信する。デジタルカメラで撮影した画像のヘッダ部分に患者ＩＤが埋め込まれ、その画像ファイルは医療データベースに送信される。
特許文献２は、被写体の識別情報の入力のため、デジタルカメラでバーコードを撮影して患者ＩＤを取得する技術を開示する。また、デジタルカメラの位置情報を取得し、スケジュールデータベースにもとづいてＩＤ情報の有効性を判断する技術を開示する。
【先行技術文献】
【特許文献】
【０００４】
【特許文献１】特許第４３９７１２８号公報
【特許文献２】特許第４７４５９７４号公報
【発明の概要】
【発明が解決しようとする課題】
【０００５】
本発明の課題は、より使いやすい方法で被写体の患者情報を特定し、撮影画像に対応づけて記録できるようにすることである。
特許文献１の技術ではＩＤカードや入力装置を用意する必要がある。また、ＩＤカードを入力装置で読み取る手順があり、操作が煩雑である。
特許文献２の技術では、バーコードをデジタルカメラで撮影する手順が必要となり、操作が煩雑である。
【課題を解決するための手段】
【０００６】
前記課題を解決するため、本発明に係る撮像装置は、患者を撮影する撮像装置であって、
前記患者を撮影する撮影手段と、
前記撮像装置の位置情報を取得する位置情報取得手段と、
前記取得した位置情報をサーバに送信する送信手段と、
前記サーバから、前記位置情報から特定された前記患者の情報を受信する受信手段と、
前記患者の情報と前記撮影された撮影画像とを対応づけて記録する画像記録手段と、を備えることを特徴とする。
また、本発明に係る画像管理装置は、患者を撮影した位置を表す位置情報を受信する受信手段と、
位置範囲と患者の情報とを対応づけてあらかじめ記憶する記憶手段と、
前記受信した位置情報に応じて前記記憶手段を検索して、１つの患者の情報を特定する特定手段と、
前記特定された患者の情報を、前記位置情報の送信元に送信する送信手段と、を備えることを特徴とする。
撮影画像は、患者情報と対応づけられた状態で、撮像装置の内部の画像記録部や撮像装置の外部の画像管理装置などに保存される。
【発明の効果】
【０００７】
本発明によれば、キーボードやタッチパネルなどで患者ＩＤを入力する際の入力ミスや患者取り違えの可能性を低減することができる。また、キーボード入力やバーコード読み取りの手順を必要としないため、患者の撮影業務をより効率的に進めることができる。
【図面の簡単な説明】
【０００８】
【図１】実施形態１におけるデジタルカメラの動作を説明するための模式図である。
【図２】実施形態１におけるデジタルカメラ内の機能の構成を示す機能ブロック図である。
【図３】実施形態１におけるベッド／エリア範囲テーブルの例である。
【図４】実施形態１におけるベッド／患者テーブルの例である。
【図５】実施形態１における撮影から患者情報の対応づけまでの流れを示すフローチャートである。
【図６】実施形態２におけるデジタルカメラ及び画像管理サーバからなるシステムの動作を説明するための模式図である。
【図７】実施形態２におけるエリア／エリア範囲テーブルの例である。
【図８】実施形態２における電子カルテの例である。
【図９】実施形態２における位置情報及び撮影時刻から患者を特定し撮影画像に対応づける流れを示すフローチャートである。
【図１０】実施形態２における位置情報及び撮影者情報から患者を特定し撮影画像に対応づける流れを示すフローチャートである。
【図１１】実施形態１におけるサーバの機能の構成を示す機能ブロック図である。
【発明を実施するための形態】
【０００９】
［実施形態１］
本発明に係る撮像装置、画像管理装置、及び画像管理システムについて、実施形態に基づいてさらに詳しく説明する。
本発明に係る撮像装置は、患者を撮影する撮像装置であって、
前記患者を撮影する撮影手段と、
前記撮像装置の位置情報を取得する位置情報取得手段と、
前記取得した位置情報をサーバに送信する送信手段と、
前記サーバから、前記位置情報から特定された前記患者の情報を受信する受信手段と、
前記患者の情報と前記撮影された撮影画像とを対応づけて記録する画像記録手段と、を備えることを特徴とする。
【００１０】
また本発明に係る画像管理装置は、患者を撮影した位置を表す位置情報を受信する受信手段と、
位置範囲と患者の情報とを対応づけてあらかじめ記憶する記憶手段と、
前記受信した位置情報に応じて前記記憶手段を検索して、１つの患者の情報を特定する特定手段と、
前記特定された患者の情報を、前記位置情報の送信元に送信する送信手段と、を備えることを特徴とする。
【００１１】
本発明における「対応づける」とは、画像を情報とともに記憶または保存することを指す。例えば、画像ファイルのヘッダ部分に情報を記録することである。あるいは、データベースに画像を保存するときに、画像と情報を同じレコードに含めることである。
「位置範囲と患者の情報とを対応づけてあらかじめ記憶する」とは、「位置範囲」とその位置範囲に対応する「患者の情報」とを単一のテーブルの同じレコードに記憶することを含む。また、後述するように、別々のテーブルに記憶されている「位置範囲」と「患者の情報」とが、「ベッド」の名称をキーとして、つまり位置範囲からベッドが特定され、ベッドから患者情報が特定可能なように記憶することも含む。
実施形態１では、入院病棟（施設）において入院患者（患者）をデジタルカメラ（撮像装置）で撮影し、デジタルカメラの位置情報を医療情報サーバ（画像管理装置）に送信する。医療情報サーバは位置情報を受信し、デジタルカメラの位置情報に基づいて撮影した患者情報（患者の情報）を特定し、特定した患者情報をデジタルカメラに送信する。デジタルカメラは患者情報を受信し、受信した患者情報を撮影画像に対応づける。
【００１２】
図１は、デジタルカメラ１０３の動作を説明するための模式図である。病室１０２（２０２号室）にはベッド１０７（２０２号室−Ａ）〜１１２（２０２号室−Ｆ）が置かれている。入院患者１１３（鈴木太郎）はベッド１０７（２０２号室−Ａ）を、入院患者１１４（佐藤二郎）はベッド１０９（２０２号室−Ｃ）を、入院患者１１５（田中三郎）はベッド１１１（２０２号室−Ｅ）を使用する。
【００１３】
医療情報サーバ１０４は入院患者の情報を含むサーバである。画像管理サーバ１０５はデジタルカメラ１０３の撮影画像を保存し管理する。デジタルカメラ１０３、医療情報サーバ１０４及び画像管理サーバ１０５はＬＡＮ(Local Area Network)１０６で結ばれている。デジタルカメラ１０３はＧＰＳ(Global Positioning System)衛星１０１からの信号を受信することによってデジタルカメラの位置情報（緯度、経度）を取得する。
【００１４】
なお、位置情報の取得はＧＰＳのほか、ＩＥＥＥ(The Institute of
Electrical and Electronic Engineers)８０２．１１ｎなどの無線ＬＡＮによっても実現可能である。また、ＲＦＩＤ(Radio Frequency Identification) によっても実現可能である。デジタルカメラ１０３は入院患者１１３（鈴木太郎）を撮影するため、ベッド１０７（２０２号室−Ａ）のそばにある。
【００１５】
無線ＬＡＮによって位置情報を取得する場合は、撮影時刻または撮影時刻とみなしうる時刻（撮影時刻の前後数秒間）に、デジタルカメラがアクセスしていた無線ＬＡＮアクセスポイント（無線ＬＡＮ親機）の位置情報をデジタルカメラの位置情報とみなす。無線ＬＡＮアクセスポイントの位置情報をデジタルカメラの位置情とみなし得るためには、無線ＬＡＮアクセスポイントと撮影エリア（例えば後述の処置室、検査室）とが一対一に対応していなければならない。
もし複数の撮影エリア（例えば後述の処置室１０２号室と検査室１０３号室）から共通のアクセスポイントへアクセスできてしまったら、無線ＬＡＮアクセスポイントの位置情報をデジタルカメラの位置情とみなすことはできない。
【００１６】
図２は、デジタルカメラ２０１内の機能の構成を示す機能ブロック図である。ここに示す構成はハードウェアとソフトウェアの組み合わせによって実現できるものであって、一つの機能ブロックが一つのハードウェアに対応するものではない。
撮像部２０３は不図示のＡ／Ｄ変換器や画像信号処理部を備え、ＣＣＤ(Charge
Coupled Device)などの受光素子２０２から受けた信号を画像にする。撮像部２０３で得た画像は画像圧縮処理部２０４によってＪＰＥＧ(Joint Photographic Experts Group)形式などでデータ圧縮される。そして主記憶部(ＲＡＭ: Random Access Memory)２０９に一時的に保持される。
【００１７】
圧縮した画像は最終的に不図示のフラッシュメモリを備えた画像記録部２０７に記録され保存される。位置情報取得部２０６は、アンテナ２０５を通じてＧＰＳ衛星から受けた信号を処理し、デジタルカメラ２０１の現在の位置情報を取得する。現在時刻を刻むＲＴＣ(Real Time Clock)２０８は、撮影画像に撮影時刻を対応づけるために用いられる。表示部２１１は撮影画像や患者情報をモニタ２１２に表示する。
【００１８】
撮影者は、シャッタを切る、撮影者情報を入力するなどの操作を操作部２１４によって行う。操作部２１４での操作はＩ／Ｏ(Input / Output)２１３を通じて伝えられる。通信部２１５はＩＥＥＥ  ８０２．１１ｎなどの通信インタフェース２１６を通じてＬＡＮ通信を行う。撮像部２０３、画像圧縮処理部２０４、位置情報取得部２０６、画像記録部２０７、ＲＴＣ２０８、主記憶部２０９、表示部２１１、Ｉ／Ｏ２１３及び通信部２１５の各機能ブロックは、バス２１７に接続され、制御部２１０によって制御される。
【００１９】
図１１は、サーバ１１００内の機能の構成を示す機能ブロック図である。ここに示す構成は医療情報サーバ及び画像管理サーバに共通する。
通信部１１０５はＩＥＥＥ  ８０２．１１ｎなどの通信インタフェース１１０６を通じてＬＡＮ通信を行う。ＲＯＭ(Read Only Memory)１１０２、ＲＡＭなどの主記憶部１１０３、ＨＤＤ(Hard
Disk Drive)などの補助記憶部１１０４、及び特定部１１０７は、バス１１１０８に接続され、制御部１１０１によって制御される。
【００２０】
図３は、ベッド／エリア範囲テーブルの例である。「２０２号室−Ａ」、「２０２号室−Ｂ」などのベッドの名称は、複数のエリアの各々を識別可能な情報の一例である。エリア範囲は位置範囲の一例である。例えば、「139.1234」は経度の一例であり、「35.5678」は緯度の一例である。そして、「139.1234，35.5678〜139.1235，35.5679」は「139.1234，35.5678」と「139.1235，35.5679」とを結ぶ直線を対角線とする長方形を意味する。
ベッド／エリア範囲テーブルは医療情報サーバ１０４の補助記憶部があらかじめ記憶する。このテーブルは、ベッド３０１と、ベッドが占めるエリア範囲３０２との対応を示すものである。
図３のテーブルによると、例えば位置「139.1234,35.5678」は、「139.1234,35.5678〜139.1235,35.5679」に含まれるため、ベッド「２０２号室−Ａ」に対応することが分かる。
【００２１】
図４は、ベッド／患者テーブルの例である。このベッド／患者テーブルは患者の情報の一例である。患者の氏名は、患者の情報の一例である。ベッド／患者テーブルは医療情報サーバ１０４の補助記憶部があらかじめ記憶する。このテーブルは、ベッドとそのベッドを利用する患者の患者情報との対応を示すものである。図４の例では、テーブルはベッド４０１と患者氏名４０２との対応を示す。患者確認の利便性及び確実性のため、テーブルには患者氏名４０２のほか、患者の性別、氏名、生年月日及び病院における一意のＩＤが含まれるようにしてもよい。
図４のテーブルによると、例えばベッド「２０２号室−Ａ」を使用する患者は「鈴木太郎」であることが分かる。
【００２２】
図５は、撮影から患者情報の対応づけまでの流れを示すフローチャートである。ここでは、ベッド「２０２号室−Ａ」を使用する患者「鈴木太郎」を位置「139.1234, 35.5678」で撮影する場合の例で説明する。
まず、デジタルカメラで患者「鈴木太郎」を撮影する（ステップＳ５０１）。撮影と同時に、デジタルカメラの位置情報取得部２０６がデジタルカメラの現在位置を取得する（ステップＳ５０２）。デジタルカメラは、医療情報サーバにステップＳ５０２で取得した位置情報を送信する（ステップＳ５０３）。
【００２３】
医療情報サーバは位置情報を受信する（ステップＳ５０４）。医療情報サーバはベッド／エリア範囲テーブルを用いて位置情報からベッドを特定する（ステップＳ５０５）。具体的には、図３のベッド／エリア範囲テーブルにより、位置「139.1234, 35.5678」を含むエリア範囲３０２から、ベッド「２０２号室−Ａ」と特定する。
そして、ベッド／患者テーブルを用いてベッドから患者情報を特定する（ステップＳ５０６）。具体的には、図４のベッド／患者テーブルにより、ベッド４０１が「２０２号室−Ａ」であることから、患者「鈴木太郎」と特定する。
医療情報サーバは特定した患者情報を、位置情報の送信元であるデジタルカメラへ送信する（ステップＳ５０７）。
【００２４】
デジタルカメラは位置情報に対応する患者情報を受信する（ステップＳ５０８）。最後に、デジタルカメラは撮影画像に患者情報を対応づける（ステップＳ５０９）。
なお、デジタルカメラは、患者情報が対応づけられた撮影画像を画像記録部２０７に保持することができる。また、通信部２１５を通じてＬＡＮ１０６上の画像管理サーバ１０５に送信することができる。また、モニタ２１２に患者情報の内容を表示することができる。
【００２５】
実施形態１では、デジタルカメラにて撮影画像と患者情報の対応づけを行っているが、撮影画像と患者情報の対応づけはサーバ上で行うようにしてもよい。
また、実施形態１では、医療情報サーバにて、１）ベッド／エリア範囲テーブルを検索して位置情報からベッドを特定し、２）ベッド／患者テーブルを検索してベッドから患者情報を特定している。しかし、これら１）及び２）をデジタルカメラにて行うようにしてもよい。
【００２６】
ところで、撮影は創傷などの経過を記録するために行われる。すなわち初めて撮影する場合を除き、同じ部位が過去に撮影されているはずである。したがって、過去にその患者を撮影した画像（過去画像）の中からいま撮影した画像に類似する画像が存在するかどうか検索する検索手段を設け、この検索手段によって検索しても類似する画像が存在しない場合は撮影者に警告を通知するようにしてもよい。
警告を通知することによって、撮影者は患者の取り違えや患者情報の特定の誤りの可能性を知ることができ有効である。過去に撮影した画像は画像記録部２０７または画像管理サーバ１０５に収められている。過去に撮影した画像といま撮影した画像の類似度を比較し、一定値を超えた場合に類似しているとみなす。
医療情報サーバ１０４と画像管理サーバ１０５を物理的に分かれた２つのサーバとして説明したが、物理的には１つのサーバが医療情報サーバ及び画像管理サーバとして機能を有するとしてもよい。
【００２７】
［実施形態２］
実施形態２では、病院の検査室において患者をデジタルカメラで撮影し、デジタルカメラの位置情報と撮影時刻に基づいて撮影した患者情報を特定し、撮影画像に対応づける例を示す。
図６は、デジタルカメラ６０３及び画像管理サーバ６０５からなるシステムの動作を説明するための模式図である。検査室６０２（１０３号室）に患者６０７がいる。医療情報サーバ６０４は電子カルテなどの情報を含むサーバである。画像管理サーバ６０５はデジタルカメラ６０３の撮影画像を保存し管理する。デジタルカメラ６０３、医療情報サーバ６０４及び画像管理サーバ６０５はＬＡＮ６０６で結ばれている。
【００２８】
デジタルカメラ６０３はＧＰＳ衛星６０１からの信号を受信することによってデジタルカメラの位置情報を取得する。デジタルカメラ６０３は患者６０７を撮影するため、検査室６０２（１０３号室）の中にある。デジタルカメラ６０３の機能ブロック図は図２と同様であるため省略する。
医療情報サーバ６０４及び画像管理サーバ６０５の機能ブロック図は図１１と同様であるため省略する。
【００２９】
図７は、エリア／エリア範囲テーブルの例である。「処置室１０２号室」、「検査室１０３号室」などのエリアの名称は、複数のエリアの各々を識別可能な情報の一例である。エリア／エリア範囲テーブルは医療情報サーバ６０４の補助記憶部があらかじめ記憶する。このテーブルは、エリア７０１と、エリアが占めるエリア範囲７０２との対応を示すものである。
図７のテーブルによると、例えば位置「139.1239,35.5679」は「139.1238,35.5678〜139.1240,35.5680」に含まれるため、検査室１０３号室に対応することが分かる。
【００３０】
図８は、電子カルテの一部の情報を抽出した例である。電子カルテは医療情報サーバ６０４の補助記憶部が記憶する医療処置の記録である。図８の例では、エリアを利用した時刻８０１、利用したエリア８０２、患者氏名８０３、患者を担当した担当者氏名８０４の情報を含む。図８の情報によると、例えば「１５時５０分」に「検査室１０３号室」を使用していた患者は「高橋良子」で、その患者の担当者は「渡辺五郎」あることが分かる。エリアを利用した時刻８０１は撮影時刻範囲の一例である。担当者氏名８０４は撮影予定者の一例である。
【００３１】
図９は、位置情報及び撮影時刻から患者を特定し撮影画像に対応づける流れを示すフローチャートである。ここでは、エリア「検査室１０３号室」を使用する患者「高橋良子」を位置「139.1239, 35.5679」で１５時５０分に撮影する場合の例で説明する。
まず、デジタルカメラで患者「高橋良子」を撮影する（ステップＳ９０１）。撮影と同時に、デジタルカメラのＲＴＣ２０８から撮影時刻として現在時刻を取得する（ステップＳ９０２）。
【００３２】
また、撮影と同時にデジタルカメラの位置情報取得部２０６からデジタルカメラの現在位置を取得する（ステップＳ９０３）。その後、デジタルカメラは、ステップＳ９０１で撮影した撮影画像、ステップＳ９０２で取得した撮影時刻、ステップＳ９０３で取得した位置情報を画像管理サーバに送信する（ステップＳ９０４）。
画像管理サーバは撮影画像、位置情報及び撮影時刻を受信する（ステップＳ９０５）。画像管理サーバは撮影した患者の患者情報を問い合わせるため、医療情報サーバへ位置情報及び撮影時刻を送信する（ステップＳ９０６）。
【００３３】
医療情報サーバは位置情報及び撮影時刻を受信する（ステップＳ９０７）。医療情報サーバはエリア／エリア範囲テーブルを用いて位置情報から撮影エリアを特定する（ステップＳ９０８）。具体的には、図７のエリア／エリア範囲テーブルにより、位置「139.1239, 35.5679」を含むエリア範囲７０２から、撮影エリアを「検査室１０３号室」と特定する。
そして、電子カルテを用いて撮影時刻及び撮影エリアから患者情報（患者氏名）を特定する（ステップＳ９０９）。具体的には、図８の電子カルテにより、時刻８０１が１５時５０分を含むことかつエリア８０２が「検査室１０３号室」であることから、患者「高橋良子」と特定する。
医療情報サーバは特定した患者情報を画像管理サーバへ送信する（ステップＳ９１０）。
【００３４】
画像管理サーバは位置情報及び撮影時刻に対応する患者情報を受信する（ステップＳ９１１）。最後に、画像管理サーバは撮影画像に患者情報を対応づけて保存する（ステップＳ９１２）。
実施形態２ではサーバ上で撮影画像と患者情報の対応づけを行っているが、撮影画像と患者情報の対応づけはデジタルカメラにて行うようにしてもよい。
ところで、実施形態２では位置情報及び撮影時刻から患者を特定する例を示したが、撮影時刻ではなく撮影者の情報を利用して特定してもよい。また、撮影時刻と撮影者情報を併用して特定してもよい。
【００３５】
図１０は、位置情報及び撮影者情報から患者を特定し撮影画像に対応づける流れを示すフローチャートである。ここでは、撮影者「渡辺五郎」がエリア「検査室１０３号室」を使用する患者「高橋良子」を位置「139.1239, 35.5679」で撮影する場合の例で説明する。まず撮影の前に、デジタルカメラの操作部２１４で撮影者「渡辺五郎」の情報を入力する（ステップＳ１００１）。そしてデジタルカメラで患者「高橋良子」を撮影する（ステップＳ１００２）。
【００３６】
ステップＳ１００３〜１００８の流れはステップＳ９０３〜９０８の流れとほぼ同様であるが、ステップＳ９０４〜９０７、９０９の「撮影時刻」がステップＳ１００４〜１００７、１００９では「撮影者情報」である点が異なる。
そして、電子カルテを用いて撮影エリア及び撮影者情報から患者情報を特定する（ステップＳ１００９）。具体的には、図８の電子カルテにより、エリア８０２が「検査室１０３号室」かつ担当者氏名８０４が「渡辺五郎」であることから、患者「高橋良子」と特定する。
以降、ステップＳ１０１０〜１０１２の流れはステップＳ９１０〜９１２の流れと同様である。
実施形態１及び実施形態２では病院で患者を撮影する例を示したが、これらの実施形態は本発明を実施する施設や被写体の種類を限定するものではない。例えば、介護施設において撮影画像に写っている入所者を特定することも可能である。また、患者宅に医師が訪問する訪問医療などにおいて、患者宅にて患部を撮影する場合などにも適用可能である。
また、実施形態１では、図３，４に示す２つのテーブルを用いる例を示したが、本発明はこの例によって限定されるものではなく、エリア範囲３０２と患者氏名４０２とを直接結び付けたテーブルを用いることとしてもよい。
【００３７】
［その他の実施形態］
以上、実施形態を詳述したが、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３８】
１０１  ＧＰＳ衛星
１０２  病室（２０２号室）
１０３  デジタルカメラ
１０４  医療情報サーバ
１０５  画像管理サーバ
１０６  ＬＡＮ
１０７〜１１２  ベッド（２０２号室−Ａ〜２０２号室−Ｆ）
１１３  入院患者（鈴木太郎）
１１４  入院患者（佐藤二郎）
１１５  入院患者（田中三郎）
６０１  ＧＰＳ衛星            ６０２  検査室（１０３号室）
６０３  デジタルカメラ        ６０４  医療情報サーバ
６０５  画像管理サーバ        ６０６  ＬＡＮ
６０７  患者
１１００  サーバ                １１０１  制御部（ＣＰＵ）
１１０２  ＲＯＭ                １１０３  主記憶部（ＲＡＭ）
１１０４  補助記憶部（ＨＤＤ）  １１０５  通信部
１１０６  通信インタフェース
【図１】
2015133046.tif 000003
【図２】
2015133046.tif 000004
【図３】
2015133046.tif 000005
【図４】
2015133046.tif 000006
【図５】
2015133046.tif 000007
【図６】
2015133046.tif 000008
【図７】
2015133046.tif 000009
【図８】
2015133046.tif 000010
【図９】
2015133046.tif 000011
【図１０】
2015133046.tif 000012
【図１１】
2015133046.tif 000013